(57)【要約】  本技術の一形態に係る情報処理装置は、入力部と、設定部と、生成部とを具備する。前記入力部には、投射対象となる画像の画像情報が入力される。前記設定部は、前記投射対象となる画像の所定の位置に重畳領域を設定する。前記生成部は、前記入力された画像情報に基づいて、前記設定された重畳領域の画像を含むベース画像と、前記ベース画像の前記重畳領域の画像に重畳される重畳画像とを生成する。
2018025474.tif 000002
【特許請求の範囲】
【請求項１】
投射対象となる画像の画像情報が入力される入力部と、
前記投射対象となる画像の所定の位置に重畳領域を設定する設定部と、
前記入力された画像情報に基づいて、前記設定された重畳領域の画像を含むベース画像と、前記ベース画像の前記重畳領域の画像に重畳される重畳画像とを生成する生成部と
を具備する情報処理装置。
【請求項２】
請求項１に記載の情報処理装置であって、
前記生成部は、前記入力された前記重畳領域に対応する画像情報に強調表示処理を実行し、その他の領域に対応する画像情報に標準表示処理を実行することで、前記ベース画像と前記重畳画像とをそれぞれ生成する
情報処理装置。
【請求項３】
請求項２に記載の情報処理装置であって、
前記強調表示処理は、前記重畳領域に含まれる各画素の表示輝度を算出する処理であり、
前記生成部は、前記算出された各画素の表示輝度に基づいて、前記重畳領域の画像と前記重畳画像とをそれぞれ生成する
情報処理装置。
【請求項４】
請求項３に記載の情報処理装置であって、
前記重畳領域の画像及び前記重畳画像は、各画素の画素情報をそれぞれ含み、
前記生成部は、前記算出された各画素の表示輝度と、所定の基準輝度とを比較することで、前記重畳領域の画像の前記各画素の画素情報であるベース画素情報と、前記重畳画像の前記各画素の画素情報である重畳画素情報とをそれぞれ生成する
情報処理装置。
【請求項５】
請求項４に記載の情報処理装置であって、
前記生成部は、前記重畳領域に含まれる各画素について、前記算出された表示輝度が前記所定の基準輝度よりも小さい場合は、前記ベース画素情報として前記算出された表示輝度に対応する画素情報を生成し、前記重畳画素情報として表示輝度がゼロとなる画素情報を生成する
情報処理装置。
【請求項６】
請求項４に記載の情報処理装置であって、
前記生成部は、前記重畳領域に含まれる各画素について、前記算出された表示輝度が前記所定の基準輝度よりも大きい場合は、前記ベース画素情報として前記所定の基準輝度に対応する画素情報を生成し、前記重畳画素情報として前記算出された表示輝度と前記所定の基準輝度との差に対応する画素情報を生成する
情報処理装置。
【請求項７】
請求項４に記載の情報処理装置であって、
前記生成部は、第１の基準輝度及びこれよりも大きい第２の基準輝度に基づいて、前記重畳領域の画像に重畳される第１の重畳画像及び第２の重畳画像をそれぞれ生成する
情報処理装置。
【請求項８】
請求項７に記載の情報処理装置であって、
前記第１及び前記第２の重畳画像は、各画素の画素情報である第１の重畳画素情報及び第２の重畳画素情報をそれぞれ含み、
前記生成部は、前記重畳領域に含まれる各画素について、前記算出された表示輝度が前記第１の基準輝度よりも小さい場合は、前記ベース画素情報として前記算出された表示輝度に対応する画素情報を生成し、前記第１及び前記第２の重畳画素情報として表示輝度がゼロとなる画素情報を生成する
情報処理装置。
【請求項９】
請求項７に記載の情報処理装置であって、
前記生成部は、前記重畳領域に含まれる各画素について、前記算出された表示輝度が前記第１の基準輝度よりも大きく前記第２の基準輝度よりも小さい場合は、前記ベース画素情報として前記第１の基準輝度に対応する画素情報を生成し、前記第１の重畳画素情報として前記算出された表示輝度と前記第１の基準輝度との差に対応する画素情報を生成し、前記第２の重畳画素情報として表示輝度がゼロとなる画素情報を生成する
情報処理装置。
【請求項１０】
請求項７に記載の情報処理装置であって、
前記生成部は、前記重畳領域に含まれる各画素について、前記算出された表示輝度が前記第２の基準輝度よりも大きい場合は、前記ベース画素情報として前記第１の基準輝度に対応する画素情報を生成し、前記第１の重畳画素情報として前記第２の基準輝度と前記第１の基準輝度との差に対応する画素情報を生成し、前記第２の重畳画素情報として前記算出された表示輝度と前記第２の基準輝度との差に対応する画素情報を生成する
情報処理装置。
【請求項１１】
請求項４に記載の情報処理装置であって、
前記所定の基準輝度は、前記投射対象となる画像のピーク輝度、前記ベース画像を投射する画像投射装置が表示可能な輝度、及び前記重畳画像を投射する画像投射装置が表示可能な輝度のうち少なくとも１つに基づいて設定される
情報処理装置。
【請求項１２】
請求項３に記載の情報処理装置であって、
前記強調表示処理は、前記重畳領域に含まれる各画素について、高ダイナミックレンジの表示輝度を算出する処理である
情報処理装置。
【請求項１３】
請求項２に記載の情報処理装置であって、
前記標準表示処理は、前記その他の領域に含まれる各画素の表示輝度を算出する処理であり、
前記生成部は、前記算出されたその他の領域に含まれる各画素の表示輝度に基づいて、前記ベース画像を生成する
情報処理装置。
【請求項１４】
請求項１３に記載の情報処理装置であって、
前記標準表示処理は、前記その他の領域に含まれる各画素について、標準ダイナミックレンジの表示輝度を算出する処理である
情報処理装置。
【請求項１５】
請求項１に記載の情報処理装置であって、
前記生成部は、前記重畳画像を投射する画像投射装置の解像度に合わせて、前記重畳画像を拡大する拡大処理を実行する
情報処理装置。
【請求項１６】
請求項１に記載の情報処理装置であって、
前記入力部には、高ダイナミックレンジの画像の画像情報が入力される
情報処理装置。
【請求項１７】
請求項１に記載の情報処理装置であって、
前記入力部には、複数の表示領域を含む画像の画像情報が入力され、
前記設定部は、前記複数の表示領域のうち少なくとも１つを前記重畳領域として設定する
情報処理装置。
【請求項１８】
投射対象となる画像の画像情報を取得し、
前記投射対象となる画像の所定の位置に重畳領域を設定し、
前記取得された画像情報に基づいて、前記設定された重畳領域の画像を含むベース画像と、前記ベース画像の前記重畳領域の画像に重畳される重畳画像とを生成する
ことをコンピュータシステムが実行する情報処理方法。
【請求項１９】
投射対象となる画像の画像情報を取得するステップと、
前記投射対象となる画像の所定の位置に重畳領域を設定するステップと、
前記取得された画像情報に基づいて、前記設定された重畳領域の画像を含むベース画像と、前記ベース画像の前記重畳領域の画像に重畳される重畳画像とを生成するステップと
をコンピュータシステムに実行させるプログラム。
【発明の詳細な説明】
【技術分野】
【０００１】
本技術は、複数のプロジェクタによる画像表示を制御可能な情報処理装置、情報処理方法、及びプログラムに関する。
【背景技術】
【０００２】
従来、複数の光源やプロジェクタを組み合わせた投射型の表示装置が考案されている。投射表示では、光を重ね合わせることで、表示可能な光量を増大させることができる。例えば特許文献１には、投射表示される画像のピーク輝度を向上させるハイライトプロジェクタシステムが記載されている。画像データに含まれる画素のうち、第１閾値を超える輝度値を有する画素が検出され、当該画素で結ばれる領域がハイライト領域として特定される。ハイライト領域の全画素に対して、レーザ等の走査ビームを用いて輝度が追加される（特許文献１の明細書段落［００２５］［００４４］）。
【先行技術文献】
【特許文献】
【０００３】
【特許文献１】特表２０１４−５１７３３７号公報
【発明の概要】
【発明が解決しようとする課題】
【０００４】
今後とも複数の光源やプロジェクタを用いて高輝度の画像を投射するシステムは普及していくものと考えられる。複数の画像を効率的に重ね合わせて高品質な画像を表示可能とする技術が求められる。【０００５】
以上のような事情に鑑み、本技術の目的は、複数の画像投射装置を用いて高品質な画像を表示することを可能とする情報処理装置、情報処理方法、及びプログラムを提供することにある。
【課題を解決するための手段】
【０００６】
上記目的を達成するため、本技術の一形態に係る情報処理装置は、入力部と、設定部と、生成部とを具備する。
前記入力部には、投射対象となる画像の画像情報が入力される。
前記設定部は、前記投射対象となる画像の所定の位置に重畳領域を設定する。
前記生成部は、前記入力された画像情報に基づいて、前記設定された重畳領域の画像を含むベース画像と、前記ベース画像の前記重畳領域の画像に重畳される重畳画像とを生成する。【０００７】
この情報処理装置では、設定部により、投射対象となる画像の所定の位置に重畳領域が設定される。生成部により、入力された画像情報に基づいて、重畳領域の画像を含むベース画像と、重畳領域の画像に重畳される重畳画像が生成される。これにより複数の画像投射装置を用いて高品質な画像を表示することが可能となる。【０００８】
前記生成部は、前記入力された前記重畳領域に対応する画像情報に強調表示処理を実行し、その他の領域に対応する画像情報に標準表示処理を実行することで、前記ベース画像と前記重畳画像とをそれぞれ生成してもよい。
これにより重畳領域の画像品質を選択的に向上させることが可能である。これにより複数の画像投射装置を用いて高品質な画像を表示することが可能となる。【０００９】
前記強調表示処理は、前記重畳領域に含まれる各画素の表示輝度を算出する処理であってもよい。この場合、前記生成部は、前記算出された各画素の表示輝度に基づいて、前記重畳領域の画像と前記重畳画像とをそれぞれ生成してもよい。
これにより所望の表示輝度で画像を表示することが可能となり、画像の品質を向上させることが可能となる。【００１０】
前記重畳領域の画像及び前記重畳画像は、各画素の画素情報をそれぞれ含んでもよい。この場合、前記生成部は、前記算出された各画素の表示輝度と、所定の基準輝度とを比較することで、前記重畳領域の画像の前記各画素の画素情報であるベース画素情報と、前記重畳画像の前記各画素の画素情報である重畳画素情報とをそれぞれ生成してもよい。
これにより所望の表示輝度による画像表示を容易に実現することが可能となり、高品質な画像を表示することが可能となる。【００１１】
前記生成部は、前記重畳領域に含まれる各画素について、前記算出された表示輝度が前記所定の基準輝度よりも小さい場合は、前記ベース画素情報として前記算出された表示輝度に対応する画素情報を生成し、前記重畳画素情報として表示輝度がゼロとなる画素情報を生成してもよい。
これにより表示輝度が低い領域について、高い画像品質を発揮することが可能となる。【００１２】
前記生成部は、前記重畳領域に含まれる各画素について、前記算出された表示輝度が前記所定の基準輝度よりも大きい場合は、前記ベース画素情報として前記所定の基準輝度に対応する画素情報を生成し、前記重畳画素情報として前記算出された表示輝度と前記所定の基準輝度との差に対応する画素情報を生成してもよい。
これにより表示輝度の輝度範囲が拡張された画像表示が可能となり、高い画像品質を発揮することが可能となる。【００１３】
前記生成部は、第１の基準輝度及びこれよりも大きい第２の基準輝度に基づいて、前記重畳領域の画像に重畳される第１の重畳画像及び第２の重畳画像をそれぞれ生成してもよい。
これにより表示輝度の輝度範囲を十分に拡張することが可能となり、非常に高い画像品質を発揮することが可能となる。【００１４】
前記第１及び前記第２の重畳画像は、各画素の画素情報である第１の重畳画素情報及び第２の重畳画素情報をそれぞれ含んでもよい。この場合、前記生成部は、前記重畳領域に含まれる各画素について、前記算出された表示輝度が前記第１の基準輝度よりも小さい場合は、前記ベース画素情報として前記算出された表示輝度に対応する画素情報を生成し、前記第１及び前記第２の重畳画素情報として表示輝度がゼロとなる画素情報を生成してもよい。
これにより表示輝度が低い領域について、高い画像品質を発揮することが可能となる。【００１５】
前記生成部は、前記重畳領域に含まれる各画素について、前記算出された表示輝度が前記第１の基準輝度よりも大きく前記第２の基準輝度よりも小さい場合は、前記ベース画素情報として前記第１の基準輝度に対応する画素情報を生成し、前記第１の重畳画素情報として前記算出された表示輝度と前記第１の基準輝度との差に対応する画素情報を生成し、前記第２の重畳画素情報として表示輝度がゼロとなる画素情報を生成してもよい。
これにより表示輝度の輝度範囲が拡張された画像表示が可能なり、高い画像品質を発揮することが可能となる。【００１６】
前記生成部は、前記重畳領域に含まれる各画素について、前記算出された表示輝度が前記第２の基準輝度よりも大きい場合は、前記ベース画素情報として前記第１の基準輝度に対応する画素情報を生成し、前記第１の重畳画素情報として前記第２の基準輝度と前記第１の基準輝度との差に対応する画素情報を生成し、前記第２の重畳画素情報として前記算出された表示輝度と前記第２の基準輝度との差に対応する画素情報を生成してもよい。
これにより３以上の画像を重畳して輝度範囲が十分に拡張された画像表示が可能となり、
非常に高い画像品質を発揮することが可能となる。【００１７】
前記所定の基準輝度は、前記投射対象となる画像のピーク輝度、前記ベース画像を投射する画像投射装置が表示可能な輝度、及び前記重畳画像を投射する画像投射装置が表示可能な輝度のうち少なくとも１つに基づいて設定されてもよい。
これにより高精度に画像を重畳することが可能となり、高品質な画像を表示することが可能となる。【００１８】
前記強調表示処理は、前記重畳領域に含まれる各画素について、高ダイナミックレンジの表示輝度を算出する処理であってもよい。
これにより高ダイナミックレンジ（ＨＤＲ：High Dynamic Range）の画像を表示可能となり、白トビや黒つぶれを抑えた鮮明な画像を表示することが可能となる。【００１９】
前記標準表示処理は、前記その他の領域に含まれる各画素の表示輝度を算出する処理であってもよい。この場合、前記生成部は、前記算出されたその他の領域に含まれる各画素の表示輝度に基づいて、前記ベース画像を生成してもよい。
これにより重畳領域とその他の領域とを含む画像を高精度に生成することが可能となり、画像の品質を向上させることが可能となる。【００２０】
前記標準表示処理は、前記その他の領域に含まれる各画素について、標準ダイナミックレンジの表示輝度を算出する処理であってもよい。
これにより標準ダイナミックレンジ（ＳＤＲ：Standard Dynamic Range）の画像を表示可能となり、必要な画像投射装置の数を抑えて高品質な画像を効率的に表示することが可能となる。【００２１】
前記生成部は、前記重畳画像を投射する画像投射装置の解像度に合わせて、前記重畳画像を拡大する拡大処理を実行してもよい。
これにより、例えば当該画像投射装置の全表示範囲を使って重畳画像を表示することができる。この結果、複数の画像投射装置を用いて高品質な画像を効率的に表示することが可能となる。【００２２】
前記入力部には、高ダイナミックレンジの画像の画像情報が入力されてもよい。
これにより階調表現の豊かなＨＤＲの画像を表示させることが可能となる。これにより複数の画像投射装置を用いて高品質な画像を表示することが可能となる。【００２３】
前記入力部には、複数の表示領域を含む画像の画像情報が入力されてもよい。この場合、前記設定部は、前記複数の表示領域のうち少なくとも１つを前記重畳領域として設定してもよい。
これにより１つの画像情報に基づいて、画質の異なる複数の表示領域を持った画面構成を実現することが可能となる。【００２４】
本技術の一形態に係る情報処理方法は、コンピュータシステムにより実行される情報処理方法であって、投射対象となる画像の画像情報を取得することを含む。
前記投射対象となる画像の所定の位置に重畳領域を設定される。
前記取得された画像情報に基づいて、前記設定された重畳領域の画像を含むベース画像と、前記ベース画像の前記重畳領域の画像に重畳される重畳画像とが生成される。【００２５】
本技術の一形態に係るプログラムは、コンピュータシステムに以下のステップを実行させる。
投射対象となる画像の画像情報を取得するステップ。
前記投射対象となる画像の所定の位置に重畳領域を設定するステップ。
前記取得された画像情報に基づいて、前記設定された重畳領域の画像を含むベース画像と、前記ベース画像の前記重畳領域の画像に重畳される重畳画像とを生成するステップ。
【発明の効果】
【００２６】
以上のように、本技術によれば、複数の画像投射装置を用いて高品質な画像を表示することが可能となる。なお、ここに記載された効果は必ずしも限定されるものではなく、本開示中に記載されたいずれかの効果であってもよい。
【図面の簡単な説明】
【００２７】
【図１】第１の実施形態に係る画像投射システムの構成例を示す概略図である。
【図２】スクリーンに投射される投射画像と、投射画像を構成するベース画像及び重畳画像とを示す模式図である。
【図３】高ダイナミックレンジ及び標準ダイナミックレンジの各々の階調の一例を説明するためのガンマカーブの概略図である。
【図４】ベース画像の生成例を示すフローチャートである。
【図５】輝度分割の一例を説明するためのグラフである。
【図６】重畳画像の生成例を示すフローチャートである。
【図７】拡大処理の一例を説明するための概略図である。
【図８】投射画像のＨＤＲ領域に表示されるハイライト画像の表示輝度のラインプロファイルの一例を示す模式図である。
【図９】第２の実施形態に係る画像投射システムのデータフローを示すブロック図である。
【図１０】輝度分割の一例を説明するためのグラフである。
【図１１】ｎ台のハイライトプロジェクタが用いられる場合の輝度分割の一例を説明するためのグラフである。
【図１２】各プロジェクタが担当する輝度範囲の一例を示すグラフである。
【発明を実施するための形態】
【００２８】
以下、本技術に係る実施形態を、図面を参照しながら説明する。
【００２９】
＜第１の実施形態＞
［画像投射システム］
図１は、本技術の第１の実施形態に係る画像投射システムの構成例を示す概略図である。図２は、スクリーンに投射される投射画像と、投射画像を構成するベース画像及び重畳画像とを示す模式図である。
【００３０】
画像投射システム１００は、スクリーン１０と、ベースプロジェクタ２０と、ハイライトプロジェクタ３０と、情報処理装置４０とを有する。図１及び図２Ａに示すように、本実施形態では、スクリーン１０に投射される投射画像１１の所定の位置にＨＤＲ領域１４が設定される。ＨＤＲ領域１４以外のその他の領域は、ＳＤＲ領域１５となる。本実施形態では、ＨＤＲ領域１４は高ダイナミックレンジで表示され、ＳＤＲ領域１５は標準ダイナミックレンジで表示される。
【００３１】
例えば投射画像１１として、複数の表示領域１６を含む画像が表示される場合に、そのうちの１つがＨＤＲ領域１４として設定される。本実施形態では、３人組みのアーティストのコンサート映像をコンテンツとして、各メンバーを表示する表示領域１６ａ、１６ｂ及び１６ｃと、ステージ全体を表示する表示領域１６ｄとを含む画像が投射されるとする。
【００３２】
例えばステージ全体を表示する表示領域１６ｄを、ＨＤＲ領域１４に設定することで、ステージ全体が高ダイナミックレンジで色彩豊かに表示され、臨場感のある映像体験を提供することが可能である。なお高ダイナミックレンジについては、後に詳しく説明する。
【００３３】
ＨＤＲ領域１４は、本実施形態において、重畳領域に相当する。ＨＤＲ領域１４の数、位置、形状等は限定されず、任意に設定されてよい。以下、投射画像１１のＨＤＲ領域１４に表示される画像を、ハイライト画像１７と記載する。
【００３４】
画像投射システム１００が適用可能な分野は、コンサート映像等に限定されない。例えばスポーツ中継等で用いられるマルチ画面で構成された投射画像１１が投射される場合に、詳細に表示したい画面をＨＤＲ領域１４として設定する、といったことも可能である。他にもデジタルシネマや遠隔医療等の任意の分野で、本技術は適用可能である。
【００３５】
図１に示すベースプロジェクタ２０は、スクリーン１０にベース画像１２を投射する。図２Ｂに示すようにベース画像１２は、ＨＤＲ領域１４に投射される画像であるＨＤＲ領域の画像１８と、ＳＤＲ領域１５に投射される画像であるＳＤＲ領域の画像１９とを含む。図２Ｂに示すように、ＳＤＲ領域の画像１９は、各メンバーを表示する表示領域１９ａ、１９ｂ及び１９ｃの画像を含む。ベース画像１２は、投射画像１１の画面構成を決定する画像ともいえる。
【００３６】
ハイライトプロジェクタ３０は、スクリーン１０に重畳画像１３を投射する。図２Ｃに示すように、重畳画像１３は、ＨＤＲ領域１４に投射される画像であり、ベース画像１２のＨＤＲ領域の画像１８に重畳される。すなわちベース画像１２のＨＤＲ領域の画像１８と、重畳画像１３とが重畳されることで、投射画像１１のハイライト画像１７が実現される。これによりＨＤＲ領域１４を、ＳＤＲ領域１５と比べて、高輝度に表示することが可能となる。
【００３７】
図１に示すように、ベースプロジェクタ２０及びハイライトプロジェクタ３０は、例えばＨＤＭＩ（登録商標）（High-Definition Multimedia Interface）端子等やＷｉＦｉモジュール等が備えられた入力インタフェース２１及び３１を有する。当該入力インタフェース２１及び３１を介して、ベースプロジェクタ２０及びハイライトプロジェクタ３０と、情報処理装置４０とが接続される。
【００３８】
本実施形態において、ベースプロジェクタ２０及びハイライトプロジェクタ３０は、ベース画像を投射する画像投射装置、及び重畳画像を投射する画像投射装置にそれぞれ相当する。
【００３９】
情報処理装置４０は、ベースプロジェクタ２０により投射されるベース画像１２と、ハイライトプロジェクタ３０により投射される重畳画像１３とをそれぞれ生成する。情報処理装置４０は、ＣＰＵ（Central Processing Unit）、ＲＯＭ（Read Only Memory）、ＲＡＭ（Random Access Memory）、ＨＤＤ（Hard Disk Drive）等のコンピュータの構成に必要なハードウェアを有する。情報処理装置４０として、例えばＰＣ（Personal Computer）が用いられるが、他の任意のコンピュータが用いられてもよい。
【００４０】
ＣＰＵが、ＲＯＭやＨＤＤに格納された本技術に係るプログラムをＲＡＭにロードして実行することにより、図１に示す機能ブロックである入力部４１、領域設定部４２、及び画像生成部４３が実現される。そしてこれらの機能ブロックにより、本技術に係る情報処理方法が実行される。なお各機能ブロックを実現するために、ＦＰＧＡ（Field Programmable Gate Array）や画像処理ＩＣ（Integrated Circuit）等の専用のハードウェアが適宜用いられてもよい。
【００４１】
プログラムは、例えば種々の記録媒体を介して情報処理装置４０にインストールされる。又はインターネット等を介してプログラムのインストールが実行されてもよい。
【００４２】
入力部４１には、カメラやサーバ装置等の図示しない画像供給源から送信された画像情報が図示しない入力インタフェースを介して入力される。情報処理装置４０の入力インタフェースは限定されず、ＨＤＭＩ端子等やＷｉＦｉモジュール等が適宜用いられてよい。その他、多芯マルチモードファイバー等のＵＨＤＴＶ（Ultra High Definition Television）に対応した専用のインタフェースが用いられてもよい。
【００４３】
領域設定部４２は、投射される投射画像１１、すなわち投射対象となる画像の所定の位置にＨＤＲ領域１４を設定する。例えば投射画像１１の画面構成等に基づいて、ＨＤＲ領域１４のサイズ、形状、及び位置が設定される。設定されたＨＤＲ領域１４の位置情報は、ＨＤＤ等により構成される記憶部に記憶され適宜参照される。本実施形態において、領域設定部４２は設定部に相当する。
【００４４】
画像生成部４３は、機能ブロックとして、ＨＤＲ処理部４４、ＳＤＲ処理部４５、分割処理部４６、及び拡大処理部４７を有する。画像生成部４３は、これらの機能ブロックを適宜用いることで、入力された投射画像１１の画像情報に基づいてベース画像１２及び重畳画像１３を生成する。本実施形態において、画像生成部４３は生成部に相当する。
【００４５】
ＨＤＲ処理部４４は、ハイライト画像１７に含まれる各画素について、高ダイナミックレンジの表示輝度を算出する処理を実行する。本実施形態において、ＨＤＲ処理部４４が実行するＨＤＲ処理は、強調表示処理に相当する。
【００４６】
ＳＤＲ処理部４５は、ＳＤＲ領域の画像１９に含まれる各画素について、標準ダイナミックレンジの表示輝度を算出する処理を実行する。本実施形態において、ＳＤＲ処理部４５が実行するＳＤＲ処理は、標準表示処理に相当する。
【００４７】
本実施形態において、ＨＤＲ処理及びＳＤＲ処理により算出される表示輝度とは、スクリーン１０に表示する際の各画素の輝度値に相当する。情報処理装置４０は、算出された表示輝度が実現されるように、ベースプロジェクタ２０及びハイライトプロジェクタ３０をそれぞれ制御する。
【００４８】
具体的には、情報処理装置４０により、ベース画像１２の各画素の画素情報が生成されベースプロジェクタ２０に出力される。また重畳画像１３の各画素の画素情報が生成されハイライトプロジェクタ３０に出力される。なお画素情報は、ベースプロジェクタ２０及びハイライトプロジェクタ３０が画像を投射するための情報であり、各画素を所望の表示輝度でスクリーンに表示させるためのビデオ信号等が含まれる。
【００４９】
情報処理装置４０から出力された画素情報に基づいて、ベースプロジェクタ２０及びハイライトプロジェクタ３０により、図２Ｂ及びＣに示すベース画像１２及び重畳画像１３が重なるように投射される。これにより図２Ａに示す投射画像１１が、高精度に表示される。各プロジェクタに出力される画素情報の生成方法については、後に詳しく説明する。
【００５０】
本実施形態において、画像を生成することは、当該画像の各画素の画素情報を生成することを含む。従って各画素の画素情報を生成してプロジェクタに出力することは、投射させたい画像を生成してプロジェクタに出力することに相当する。
【００５１】
ＨＤＲ処理により算出される高ダイナミックレンジの表示輝度とは、高ダイナミックレンジの階調に対応した表示輝度である。ＳＤＲ処理により算出される標準ダイナミックレンジの表示輝度とは、標準ダイナミックレンジの階調に対応した表示輝度である。高ダイナミックレンジの階調と標準ダイナミックレンジの階調とを比較すると、高ダイナミックレンジの階調の方が標準ダイナミックレンジの階調よりも階調範囲が広く設定されている。
【００５２】
本実施形態では、標準ダイナミックレンジの階調として、一般の表示装置が単体で表示できる輝度範囲に収まる階調が設定される。従って標準ダイナミックレンジの表示輝度は、例えばベースプロジェクタ２０のみの投射にて実現可能である。一方、高ダイナミックレンジの階調としては、暗い部分の輝度を維持したまま、明るい部分の輝度を拡張した階調が用いられる。本実施形態では、高ダイナミックレンジの表示輝度は、ベースプロジェクタ２０及びハイライトプロジェクタ３０により画像を重畳させることで実現される。
【００５３】
なお高ダイナミックレンジの階調、及び標準ダイナミックレンジの階調の具体的な設定方法は限定されず適宜設定されてよい。
【００５４】
図３は、本実施形態に係る高ダイナミックレンジ及び標準ダイナミックレンジの各々の階調の一例を説明するためのガンマカーブの概略図である。ガンマカーブは、情報処理装置４０に入力された画像情報から、各画素の表示輝度を決定するために使用されるパラメータである。ガンマカーブを適宜設定することで、表示輝度の特性（階調特性）を制御することが可能である。例えば明るい領域では表示輝度をまばらに設定し、暗い領域では表示輝度を細かく設定するといった制御等が可能となる。
【００５５】
図３Ａには、高ダイナミックレンジ（ＨＤＲ）のガンマカーブ５０と、標準ダイナミックレンジ（ＳＤＲ）のガンマカーブ５１とが示されている。グラフの横軸は、情報処理装置４０に入力された画像情報に含まれる各画素の輝度を表すデータである（以下、入力データと記載する）。グラフの縦軸は表示輝度であり、ＳＤＲのガンマカーブ５１での表示輝度の上限を１として、相対値が図示されている。
【００５６】
ＳＤＲ処理部４５は、情報処理装置４０に入力された各画素の入力データに対して、ＳＤＲのガンマカーブ５１を使用して表示輝度を算出する。図３Ａに示す例では、ＳＤＲのガンマカーブ５１を使って算出される表示輝度の範囲は０から１である。この範囲が、標準ダイナミックレンジの階調の輝度範囲となる。画素の入力データに対して、標準ダイナミックレンジ（０から１まで）の表示輝度が適宜算出される。画素の入力データが最大値Ｎであった場合には、当該画素の表示輝度は、上限値の１となる。
【００５７】
標準ダイナミックレンジの階調の輝度範囲の上限、すなわちＳＤＲのガンマカーブ５１での表示輝度の上限は、例えばベースプロジェクタ２０が単体でスクリーン１０に表示できる最大の輝度以下の範囲で設定される。これにより、ＳＤＲ処理により算出された標準ダイナミックレンジの表示輝度は、ベースプロジェクタ２０による投射のみで表示可能となる。
【００５８】
ＨＤＲ処理部４４は、情報処理装置４０に入力された各画素の入力データに対して、ＨＤＲのガンマカーブ５０を使用して表示輝度を算出する。図３Ａに示す例では、ＨＤＲのガンマカーブ５０を使って算出される表示輝度の範囲は０から５である。この範囲が、高ダイナミックレンジの階調の輝度範囲となり、明るい部分の輝度が拡張されている。すなわちＳＤＲのガンマカーブ５１と比較して、明るい部分の輝度、すなわち高輝度側が５倍の明るさまで表現可能なように拡張されている。
【００５９】
画素の入力データに対して、高ダイナミックレンジ（０から５まで）の表示輝度が適宜算出される。画素の入力データが最大値Ｎであった場合には、当該画素の表示輝度は、ＳＤＲのガンマカーブ５１から算出される表示輝度の５倍の値となる。
【００６０】
なお図３Ａに示す例では、入力データがＮ／２よりも小さい範囲では、同じ入力データに対してＳＤＲのガンマカーブ５１とＨＤＲのガンマカーブ５０とで略同様の表示輝度が算出される。このとき算出される表示輝度は０から０．２程度までの暗い部分に含まれる表示輝度である。このようにＨＤＲのガンマカーブ５０では、ＳＤＲのガンマカーブ５１と比較して、暗い部分に算出される表示輝度は大きく変化しない。従って高ダイナミックレンジの階調は、標準ダイナミックレンジの階調と比べて、暗い部分の表示輝度がほぼ維持されている。
【００６１】
一方で、入力データがＮ／２よりも大きい範囲では、入力データがＮに近づくにつれて、同じ入力データに対してＳＤＲのガンマカーブ５１とＨＤＲのガンマカーブ５０とで算出される輝度が大きく異なってくる。このようにＨＤＲのガンマカーブ５０で算出される表示輝度は、ＳＤＲのガンマカーブ５１で算出される表示輝度を単純に増加させたものではなく、明るい部分が指数的に拡張された表示輝度となっている。これにより標準ダイナミックレンジの階調では表現できない高い輝度を持った投射画像１１を生成することが可能となる。
【００６２】
図３Ｂは、ＨＤＲのガンマカーブ５０とＳＤＲのガンマカーブ５１との形状を比較するために規格化されたグラフである。グラフの横軸は、ＨＤＲのガンマカーブ５０及びＳＤＲのガンマカーブ５１で共通であり、情報処理装置４０に入力される各画素の入力データである。
【００６３】
グラフの左側の縦軸はＳＤＲのガンマカーブ５１に対応する表示輝度であり、右側の縦軸はＨＤＲのガンマカーブ５０に対応する表示輝度である。図３Ｂでは、ＳＤＲのガンマカーブ５１及びＨＤＲのガンマカーブ５０の各々の表示輝度の上限値が同じ位置に表示されるように、左右の縦軸が調節されている。
【００６４】
ＳＤＲのガンマカーブ５１と比べ、ＨＤＲのガンマカーブ５０では、暗い領域での立ち上がりが緩やかで、明るい領域のカーブがより急峻になっている。従って、目の感度が高い暗い領域のデータ量を十分に確保し、感度が低い明るい領域のデータを高コントラストで表現することが可能である。これにより高ダイナミックレンジの階調では、実際の風景に近いダイナミックな画像表現を実現することが可能である。
【００６５】
本実施形態では、高ダイナミックレンジの階調で生成された投射画像１１が圧縮されて、情報処理装置４０に送信される。当該圧縮された画像データが、画像情報に相当する。圧縮処理は、一般的に画像の質が劣化しないように、画像の特性に合わせて実行される。本実施形態では、上記のＨＤＲ処理及びＳＤＲ処理により投射画像１１が高精度に表示可能な形式で圧縮が実行される。
【００６６】
本実施形態では、高ダイナミックレンジの階調で生成された投射画像１１を圧縮するために、ＨＤＲ用の圧縮カーブが用いられる。ＨＤＲ用の圧縮カーブは、投射画像１１の暗い領域の輝度のデータを多く残し、明るい領域の輝度のデータを間引くことで、画像情報を圧縮する関数である。これにより、高ダイナミックレンジの階調で表現される画像の質感を損なうことなく、送信用の圧縮を実行可能である。
【００６７】
ＨＤＲ用の圧縮カーブとして、例えば図３Ａに示したＨＤＲのガンマカーブ５０の逆カーブ（逆関数）を用いることが可能である。例えば、投射画像１１を撮影するカメラの内部処理により、投射画像１１の輝度のデータに対してＨＤＲ用の圧縮カーブがかけられる。送信された画像情報に、ＨＤＲのガンマカーブ５０をかけることで、圧縮前の画像データに略等しい適正な表示輝度を算出することができる。
【００６８】
なお図３Ａに示すように、入力データの暗い領域（横軸の０に近い領域）では、ＨＤＲのガンマカーブ５０及びＳＤＲのガンマカーブ５１は互いに略等しい形状となる。またＨＤＲ用の圧縮カーブにより、暗い領域の輝度データが多く残される（表示輝度の情報がほぼ維持されている）。従って圧縮された画像情報に対してＳＤＲ処理を実行した場合でも、高い精度で画像を表示することが可能である。
【００６９】
このように本実施形態におけるＨＤＲ処理及びＳＤＲ処理は、圧縮された画像データを復元する処理とも言える。もちろん本技術に係る強調表示処理及び標準表示処理が、圧縮したデータの復元に限定されるわけではない。例えば階調の変換や拡張等が実行されてもよい。
【００７０】
図１に戻り、分割処理部４６は、ＨＤＲ処理部４４により算出された各画素の表示輝度と、所定の基準輝度とを比較することで、ＨＤＲ領域の画像１８の各画素の画素情報（以下、ベース画素情報と記載する）と、重畳画像１３の各画素の画素情報（以下、重畳画素情報と記載する）とをそれぞれ生成する。
【００７１】
拡大処理部４７は、重畳画像１３を投射するハイライトプロジェクタ３０の解像度に合わせて、重畳画像１３を拡大する拡大処理を実行する。分割処理部４６及び拡大処理部４７の処理については、後に詳しく説明する。
【００７２】
［ベース画像の生成］
図４は、本実施形態に係るベース画像１２の生成例を示すフローチャートである。入力部４１に、投射画像１１の画像情報を含むビデオ信号が入力される（ステップ１０１）。領域設定部４２により、投射画像１１の所定の位置にＨＤＲ領域１４が設定される（ステップ１０２）。典型的には、ユーザにより予め入力された位置情報に基づいて、ＨＤＲ領域１４が設定される。または領域設定部４２により、適当な位置に自動的にＨＤＲ領域１４が設定されてもよい。
【００７３】
投射画像１１に含まれる各画素について、ＨＤＲ領域１４に含まれるか否かが判定される（ステップ１０３）。ＨＤＲ領域１４に含まれない、すなわちＳＤＲ領域１５に含まれると判定された画素については、ステップ１０３のＮｏに進み、ＳＤＲ処理部４５によるＳＤＲ処理が実行される（ステップ１０４）。本実施形態では、各画素の入力データに対して、標準ダイナミックレンジの表示輝度が算出される。
【００７４】
ＳＤＲ処理により算出された表示輝度に基づいて、ＳＤＲの領域の画像１９が生成される（ステップ１０５）。具体的には、ＳＤＲ領域１５に含まれる各画素について、ＳＤＲ処理により算出された表示輝度に対応する画素情報が生成される。なお表示輝度に対応する画素情報とは、当該表示輝度でスクリーン１０に表示するためのビデオ信号等を含む。
【００７５】
表示輝度に対応する画素情報は、ベース画像１２を投射するベースプロジェクタ２０の表示特性等に応じて生成される。なお輝度補正等の画像処理が実行された後に、画素情報が生成されてもよい。ＳＤＲ領域の画像１９は、投射画像１１の所定の領域であるＳＤＲ領域１５を、標準ダイナミックレンジの表示輝度で表示可能なように生成された画像に相当する。
【００７６】
投射画像１１に含まれる各画素について、ステップ１０３でＹｅｓの場合、すなわちＨＤＲ領域１４に含まれると判定された場合、ＨＤＲ処理部４４によるＨＤＲ処理が実行される（ステップ１０６）。本実施形態では、各画素の入力データに対して、高ダイナミックレンジの表示輝度が算出される。
【００７７】
算出された高ダイナミックレンジの表示輝度との関係が線形となるリニアデータが生成される（ステップ１０７）。リニアデータを用いて、例えば画像のコントラスト補正等の画像処理が実行可能である。また本実施形態では、リニアデータを用いて、分割処理部４６による輝度分割が実行される（ステップ１０８）。
【００７８】
図５は、本実施形態に係る輝度分割の一例を説明するためのグラフである。図５Ａ〜図５Ｃに示すグラフの縦軸は、ＨＤＲ処理により算出された各画素の表示輝度に相当する。グラフの横軸は、表示輝度に線形なリニアデータである。
【００７９】
輝度分割とは、ＨＤＲ処理にて算出された高ダイナミックレンジの各画素の表示輝度を、ベースプロジェクタ２０及びハイライトプロジェクタ３０による画像の重畳により、どのように実現するかを設定するための処理である。具体的には、算出された各画素の表示輝度が、ＨＤＲ領域の画像１８の各画素の表示輝度と、重畳画像１３の各画素の表示輝度とに分割される。
【００８０】
図５Ａは、ＨＤＲ処理にて算出された高ダイナミックレンジの表示輝度と、それに対応するリニアデータを示すグラフである。図５Ｂは、ベースプロジェクタ２０により表示される表示輝度を示すグラフである。図５Ｃは、ハイライトプロジェクタ３０により表示される表示輝度を示すグラフである。
【００８１】
ベース画像１２の生成においては、輝度分割により、ベース画像１２内のＨＤＲ領域の画像１８に含まれる各画素の表示輝度が算出される。すなわち各画素において、図５Ｂに示す縦軸の表示輝度が算出される。
【００８２】
まず分割の基準として基準輝度Ｐが設定される。図４に示すように、基準輝度Ｐは、予め設定されており適宜読み出される。
【００８３】
図５Ａ及びＢに示す基準輝度Ｐは、ベースプロジェクタ２０により表示可能な最大の表示輝度以下の範囲で設定される。本実施形態では、基準輝度Ｐ＝ベースプロジェクタ２０により表示可能な最大の表示輝度とする。図５Ａに示すように、０〜Ｐmaxの高ダイナミックレンジの表示輝度に対応してリニアデータ０〜Ｍが設定される。そのうち基準輝度Ｐに対応するリニアデータをＭ'とする。
【００８４】
ＨＤＲ領域１４内の各画素について、ＨＤＲ処理により算出された表示輝度が基準輝度Ｐよりも小さいか否かが判定される。算出された表示輝度が基準輝度Ｐよりも小さい場合は、当該算出された表示輝度が、ＨＤＲ領域１４内の各画素の表示輝度として算出される。算出された表示輝度が基準輝度Ｐ以上の場合は、基準輝度Ｐが、ＨＤＲ領域１４内の各画素の表示輝度として算出される。
【００８５】
本実施形態では、リニアデータを用いて、輝度分割が実行される。すなわちＨＤＲ領域１４内の各画素について、リニアデータが、基準輝度Ｐに対応するリニアデータＭ'よりも小さいか否かが判定される。図５Ａ及びＢに示すように、リニアデータがｍ1（＜Ｍ'）である場合には、リニアデータｍ1に対応する表示輝度ｎ1が、ＨＤＲ領域１４内の各画素の表示輝度として算出される。リニアデータがｍ2（≧Ｍ'）である場合には、リニアデータＭ'に対応する基準輝度Ｐが、ＨＤＲ領域１４内の各画素の表示輝度として算出される。
【００８６】
このようにＨＤＲ処理により算出された表示輝度が基準輝度Ｐよりも小さい場合（リニアデータ＜Ｍ'の場合）には、算出された表示輝度が、そのままＨＤＲ領域１４内の各画素の表示輝度として用いられる。ＨＤＲ処理により算出された表示輝度が基準輝度Ｐよりも大きい場合（リニアデータ≧Ｍ'の場合）には、ハイライトプロジェクタ３０の画像と重畳する必要がある画素となり、その表示輝度として、基準輝度Ｐ（＝ベースプロジェクタ２０における最大の表示輝度）が用いられる。
【００８７】
なお輝度分割を実行する際にリニアデータを用いるか否かは任意に選択されてよく、ＨＤＲ処理により算出された表示輝度がそのまま用いられてもよいし、当該表示輝度に対応する他のデータが用いられてもよい。
【００８８】
ＨＤＲ領域１４に含まれる各画素について、輝度分割により算出された表示輝度を実現するための画素情報が生成される。すなわち各画素について、輝度分割により算出された表示輝度に対応する画素情報がそれぞれ生成される。ここで生成される画素情報はベース画素情報に相当し、これによりＨＤＲ領域の画像１８が生成される（ステップ１０９）。
【００８９】
画像生成部４３により、ＳＤＲ領域の画像１９とＨＤＲ領域の画像１８とに基づいて、各画素の画素情報を含むベース画像１２が生成される。ベース画像１２はビデオ信号としてベースプロジェクタ２０に出力される。
【００９０】
［重畳画像の生成］
図６は、本実施形態に係る重畳画像１３の生成例を示すフローチャートである。入力部４１に、投射画像１１の画像情報を含むビデオ信号が入力される（ステップ２０１）。領域設定部４２によりＨＤＲ領域１４が設定され（ステップ２０２）、ＨＤＲ領域１４に含まれる画素が抽出される。
【００９１】
図７は、本実施形態に係る拡大処理の一例を説明するための概略図である。拡大処理部４７によりＨＤＲ領域１４内の画像を拡大する拡大処理が実行される（ステップ２０３）。ＨＤＲ領域１４内の画像を拡大する拡大処理とは、ＨＤＲ領域１４に含まれる画素により構成される画像を、より多くの画素により構成される画像、すなわち、より大きいサイズの画像に拡大する処理である。これにより図７に示す拡大画像６０が生成される。
【００９２】
拡大処理は、ＨＤＲ領域１４内の画像を、画素数を増加させて構成する処理とも言える。画素数を増加させた場合の、各画素の輝度値を設定する方法は限定されない。例えば拡大前のＨＤＲ領域１４の各画素に対応するように、同じ輝度の画素を縦横に２つずつグリッド状（２×２）に並べて配置する。これによりサイズが４倍に拡大された拡大画像６０が生成される。その他、輝度値の補間等、任意の方法が採用されてよい。
【００９３】
拡大画像６０のサイズは、ハイライトプロジェクタ３０の表示解像度に応じて決定される。すなわち、重畳画像１３をハイライトプロジェクタ３０により表示する際に使用される画素数（サイズ）が、拡大画像６０のサイズとして設定される。典型的には、重畳画像１３の形状（アスペクト比等）を表現可能な最大のサイズが設定される。これにより画像を重畳するために重畳画像１３を光学的に縮小した場合に、高い表示輝度を発揮させることが可能となる。
【００９４】
拡大画像６０に含まれる各画素について、ＨＤＲ処理部４４によるＨＤＲ処理が実行され、高ダイナミックレンジの表示輝度がそれぞれ算出される（ステップ２０４）。算出された表示輝度との関係が線形であるリニアデータが生成される（ステップ２０５）。リニアデータを用いて、分割処理部４６により輝度分割が実行される（ステップ２０６）。
【００９５】
重畳画像１３の生成においては、輝度分割により、重畳画像１３に含まれる各画素の表示輝度が算出される。すなわち各画素について、図５Ｃに示す縦軸の表示輝度が算出される。なお輝度分割は、図４のステップ１０８にて設定された基準輝度Ｐを基準として実行される。
【００９６】
拡大画像６０内の各画素について、ＨＤＲ処理により算出された表示輝度が基準輝度Ｐよりも小さいか否かが判定される。算出された表示輝度が基準輝度Ｐよりも小さい場合は、拡大画像６０の各画素の表示輝度として０（ゼロ）が算出される。算出された表示輝度が基準輝度Ｐ以上の場合は、算出された表示輝度と基準輝度Ｐとの差が、拡大画像６０の各画素の表示輝度として算出される。すなわち表示輝度＝ＨＤＲ処理による表示輝度−基準輝度Ｐとなる。
【００９７】
図５Ｃに示すように、本実施形態では、リニアデータを用いて、輝度分割が実行される。リニアデータがｍ1（＜Ｍ'）である場合には、拡大画像６０の各画素の表示輝度は０となる。リニアデータがｍ2（≧Ｍ'）である場合には、リニアデータｍ2に対応する表示輝度ｎ2から基準輝度Ｐを差し引いた値であるｎ2−Ｐが、拡大画像６０の各画素の表示輝度となる。
【００９８】
このようにＨＤＲ処理により算出された表示輝度が基準輝度Ｐよりも小さい場合（リニアデータ＜Ｍ'の場合）には、ハイライトプロジェクタ３０は最も暗い黒色（表示輝度が０である色に相当）を表示する。ＨＤＲ処理により算出された表示輝度が基準輝度Ｐよりも大きい場合（リニアデータ≧Ｍ'の場合）には、ベースプロジェクタ２０で表示できない明るさで表示される画素となる。従って当該画像の表示輝度として、本来の輝度（ＨＤＲ処理により算出された表示輝度ｎ2）から、ベースプロジェクタ２０が表示する輝度（基準輝度Ｐ）を引いた値（ｎ2−Ｐ）が用いられる。
【００９９】
拡大画像６０内の各画素ついて、輝度分割により算出された表示輝度に対応する画素情報がそれぞれ生成される。ここで生成される画素情報は重畳画素情報に相当し、これにより重畳画像１３が生成される（ステップ２０７）。重畳画像１３は、投射画像１１のＨＤＲ領域を、高ダイナミックレンジの表示輝度で表示するために投射される。
【０１００】
生成された重畳画像１３がビデオ信号としてハイライトプロジェクタ３０に出力される。なおハイライトプロジェクタ３０により重畳画像１３が表示される場合には、ズーム等が適宜制御され、画像サイズが縮小される。従って、スクリーン１０にはベース画像１２に対して適正に重畳可能な重畳画像１３が投射される。
【０１０１】
なお拡大画像６０の各画素において、表示輝度に応じた重畳画素情報が生成される際には、画像の縮小に応じた表示輝度の増加分も考慮される。例えば所定の表示輝度を実現するための画素情報に対して、表示輝度の増加分に応じたパラメータがかけられて、拡大画像の各画素の重畳画素情報として生成される。もちろんこれに限定されるわけではない。
【０１０２】
ベース画像１２及び重畳画像１３が、ベースプロジェクタ２０及びハイライトプロジェクタ３０によってそれぞれスクリーン１０に投射され、ベース画像１２及び重畳画像１３によって構成される投射画像１１が表示される。スクリーン１０では、ベース画像１２におけるＨＤＲ領域の画像１８と重畳画像１３とが重畳して表示される（図１参照）。これにより投射画像１１のＨＤＲ領域１４には、高ダイナミックレンジの表示輝度でハイライト画像１７が表示される。また投射画像１１のＳＤＲ領域１５には、標準ダイナミックレンジの表示輝度でＳＤＲ領域の画像１９が表示される。
【０１０３】
図８は、投射画像１１のＨＤＲ領域１４に表示されるハイライト画像１７の表示輝度のラインプロファイルの一例を示す模式図である。図２Ａに示すハイライト画像１７の横方向をＸ軸方向として、左端及び右端のＸ座標をＸ1及びＸ2とする。図８では、ハイライト画像１７の、Ｘ軸方向に沿ったある１つのライン上の表示輝度を示すラインプロファイル７０が図示されている。
【０１０４】
ハイライトプロジェクタ３０により重畳画像１３が投射されるので、基準輝度Ｐ以上の輝度範囲７１の表示輝度が実現される。一方、基準輝度Ｐよりも小さい輝度範囲７２の表示輝度は、ベースプロジェクタ２０によるＨＤＲ領域の画像１８によって実現される。
【０１０５】
以上、本実施形態に係る画像投射システム１００では、領域設定部４２により、投射対象となる投射画像１１の所定の位置にＨＤＲ領域１４が設定される。画像生成部４３により、入力された画像情報に基づいて、ＨＤＲ領域の画像１８を含むベース画像１２と、ＨＤＲ領域の画像１８に重畳される重畳画像１３とが生成される。これにより複数の画像投射装置を用いて高品質な画像を表示することが可能となる。
【０１０６】
単体の画像投射装置（プロジェクタ）を用いて画像を投射する場合、投射画像で表示可能な輝度は、プロジェクタに搭載された光源やレンズ等の特性を含むプロジェクタの表示特性によって制限される。このため単体のプロジェクタでは、表示可能な輝度範囲を拡張すること、すなわち輝度のダイナミックレンジを広い範囲で確保することが難しい。従って単体のプロジェクタでは、高い輝度ピークを実現することや、輝度のコントラストを大きくとることが困難である。
【０１０７】
本実施形態に係る画像投射システム１００では、ベースプロジェクタ２０によりベース画像１２が投射される。またハイライトプロジェクタ３０により、ベース画像１２の所定の領域（ＨＤＲ領域１４）に向けて、重畳画像１３が投射される。ベース画像１２と重畳画像１３とがスクリーン１０で重畳され、投射画像１１が表示される。これにより投射画像１１のＨＤＲ領域１４では、ベースプロジェクタ２０と、ハイライトプロジェクタ３０とがそれぞれ表示する輝度を足し合わせることで、輝度のダイナミックレンジを拡張することが可能である。従って投射画像１１のＨＤＲ領域１４では、高ダイナミックレンジの階調で画像を表示することが可能となり、高い輝度ピークや豊かなコントラスト表現を実現することが可能となる。これにより白とびや黒つぶれを抑えた鮮明な画像を表示することが可能となる。
【０１０８】
また画像投射システム１００では、単体のプロジェクタで表示できる標準ダイナミックレンジの階調でＳＤＲ領域の画像１９が生成される。従って投射画像１１のＳＤＲ領域１５では、ベースプロジェクタ２０単体で適正に画像表示を行うことが可能である。
【０１０９】
このように本実施形態では、投射画像１１の中で、高ダイナミックレンジの階調、及び標準ダイナミックレンジの階調の２つの異なる階調での画像表示を共存させることが可能である。高ダイナミックレンジの階調で画像が表示されるＨＤＲ領域１４では、ＨＤＲ領域の画像１８と重畳画像１３とを重ねて投射する、部分スタックが行われる。これによりＨＤＲ領域１４にハイライトプロジェクタ３０からの投射光を集中できるため、効率的に輝度を拡張することが可能である。
【０１１０】
例えば各プロジェクタの表示領域が全て同一に設定された、完全スタックによる投射が行われる場合、各プロジェクタの投射光は表示領域の全体に広がる。一方で部分スタックによる投射では、所定の領域に投射光を集中することが可能である。このため部分スタックによる投射では、完全スタックによる投射と比べて、１台のプロジェクタで追加できる輝度が大きい。従って少ない台数で、効率良く輝度ダイナミックレンジを拡張することが可能である。これにより少数のプロジェクタで所望の輝度を実現することが可能となり、消費電力やコストを抑えることが可能となる。
【０１１１】
本実施形態では、１つの画像情報（ビデオ信号）に基づいてＨＤＲ処理及びＳＤＲ処理が実行され、高ダイナミックレンジの階調の画像と標準ダイナミックレンジの階調の画像とがそれぞれ生成される。従って、例えば階調の異なる複数の画像を別々に生成して編集するといった作業が不要となる。また複数の画像のビデオ信号を別々に伝送するための複数の入力配線等を準備する必要が無くなる。これにより画像の編集作業やプロジェクタのセッティング等の簡略化が可能となる。
【０１１２】
＜第２の実施形態＞
本技術に係る第２の実施形態の画像投射システムについて説明する。これ以降の説明では、上記の実施形態で説明した画像投射システム１００における構成及び作用と同様な部分については、その説明を省略又は簡略化する。
【０１１３】
第１の実施形態では、ベースプロジェクタ２０とハイライトプロジェクタ３０との２台のプロジェクタによって画像表示が行われた。本実施形態では、ベースプロジェクタと、複数のハイライトプロジェクタとが用いられる。すなわち３台以上のプロジェクタにより画像が表示される。
【０１１４】
図９は、第２の実施形態に係る画像投射システムのデータフローを示すブロック図である。情報処理装置８０の入力部に投射画像の画像情報を含むビデオ信号が入力される。情報処理装置８０は、入力された画像情報に基づいて、ベース画像と、第１〜第ｎのｎ枚の重畳画像とを生成し、ベースプロジェクタＢ及びハイライトプロジェクタＨ１〜Ｈｎにそれぞれ出力する。ハイライトプロジェクタＨ１〜Ｈｎは、いずれもＨＤＲ領域に画像を重畳して投射できるように、投射方向や絞り等が適宜設定される。
【０１１５】
図１０は、本実施形態に係る輝度分割の一例を説明するためのグラフである。図１０に示したグラフの縦軸は、ＨＤＲ処理により算出された高ダイナミックレンジの表示輝度である。またグラフの横軸は、ＨＤＲ処理により算出された表示輝度と線形に対応するリニアデータである。図１０には、１台のベースプロジェクタＢと２台のハイライトプロジェクタＨ１及びＨ２とを用いて画像表示を行う場合の輝度分割の一例が示されている。
【０１１６】
まず分割処理部４６により、ベース画像内のＨＤＲ領域の画像を生成するための輝度分割が実行される（図４のステップ１０８に相当）。分割の基準として第１の基準輝度Ｐ1が設定される。
【０１１７】
ＨＤＲ領域１４内の各画素について、ＨＤＲ処理により算出された表示輝度が第１の基準輝度Ｐ1よりも小さいか否かが判定される。算出された表示輝度が第１の基準輝度Ｐ1よりも小さい場合は、当該算出された表示輝度が、ＨＤＲ領域１４内の各画素の表示輝度として算出される。算出された表示輝度が第１の基準輝度Ｐ1以上の場合は、第１の基準輝度Ｐ1が、ＨＤＲ領域１４内の各画素の表示輝度として算出される。
【０１１８】
図１０に示すように、本実施形態では、リニアデータを用いて輝度分割が実行される。リニアデータがｏ1（＜Ｍ1）である場合には、リニアデータｏ1に対応する表示輝度ｐ1が、ＨＤＲ領域１４内の各画素の表示輝度となる。リニアデータがＭ1以上の場合には、リニアデータＭ1に対応する第１の基準輝度Ｐ1が、ＨＤＲ領域１４内の各画素の表示輝度となる。ＨＤＲ領域１４内の各画素について、輝度分割により算出された表示輝度を実現するためのベース画素情報が生成され、ＨＤＲ領域の画像が生成される（図４のステップ１０９に相当）。
【０１１９】
分割処理部４６により、第１及び第２の重畳画像を生成するための輝度分割が実行される（図６のステップ２０６に相当）。分割の基準として第１の基準輝度Ｐ1よりも大きい第２の基準輝度Ｐ2が設定される。すなわちＰ1＜Ｐ2となるような第２の基準輝度が設定される。輝度分割は、第１及び第２の基準輝度Ｐ1及びＰ2が用いられて実行される。
【０１２０】
まず第１の重畳画像の表示輝度が算出される。拡大処理部により生成された拡大画像内の各画素について、ＨＤＲ処理により算出された表示輝度が第１の基準輝度Ｐ1以上であり第２の基準輝度Ｐ2よりも小さいか否かが判定される。
【０１２１】
算出された表示輝度が第１の基準輝度Ｐ1よりも小さい場合は、各画素の表示輝度として０（ゼロ）が算出される。算出された表示輝度が第１の基準輝度Ｐ1以上であり第２の基準輝度Ｐ2よりも小さい場合は、算出された表示輝度と第１の基準輝度Ｐ1との差が、各画素の表示輝度として算出される。算出された表示輝度が第２の基準輝度Ｐ2以上の場合は、第２の基準輝度Ｐ2と第１の基準輝度Ｐ1との差が、各画素の表示輝度として算出される。
【０１２２】
図１０に示すように、輝度分割は、リニアデータを用いて実行される。リニアデータがｏ1（＜Ｍ1）である場合には、各画素の表示輝度は０となる。リニアデータがｏ2（Ｍ1≦ｏ2＜Ｍ2）である場合には、リニアデータｏ2に対応する表示輝度ｐ2から第１の基準輝度Ｐ1を差し引いた値であるｐ2−Ｐ1が、各画素の表示輝度となる。リニアデータがｏ3（≧Ｍ2）である場合には、第２の基準輝度Ｐ2から第１の基準輝度Ｐ1を差し引いた値であるＰ2−Ｐ1が、各画素の表示輝度となる。各画素について、輝度分割により算出された表示輝度を実現するための第１の重畳画素情報が生成され、第１の重畳画像が生成される（図６のステップ２０７に相当）。
【０１２３】
次に、第２の重畳画像の表示輝度が算出される。拡大画像内の各画素について、ＨＤＲ処理により算出された表示輝度が第２の基準輝度Ｐ2よりも大きいか否かが判定される。算出された表示輝度が第２の基準輝度Ｐ2よりも小さい場合は、各画素の表示輝度として０（ゼロ）が算出される。算出された表示輝度が第２の基準輝度Ｐ2以上の場合は、算出された表示輝度と第２の基準輝度Ｐ2との差が、各画素の表示輝度として算出される。
【０１２４】
図１０に示すように、輝度分割は、リニアデータを用いて実行される。リニアデータがＭ2よりも小さい場合には、各画素の表示輝度は０となる。リニアデータがｏ3（≧Ｍ2）である場合には、リニアデータｏ3に対応する表示輝度ｐ3から第２の基準輝度Ｐ2を差し引いた値であるｐ3−Ｐ2が、各画素の表示輝度となる。各画素について、輝度分割により算出された表示輝度を実現するための第２の重畳画素情報が生成され、第２の重畳画像が生成される（図６のステップ２０７に相当）。
【０１２５】
情報処理装置８０は、生成されたＨＤＲ領域の画像を含むベース画像、第１の重畳画像、及び第２の重畳画像を、ベースプロジェクタＢ、ハイライトプロジェクタＨ１、及びハイライトプロジェクタＨ２にそれぞれ出力する。ベースプロジェクタＢにより投射されたベース画像のＨＤＲ領域の画像に、ハイライトプロジェクタＨ１及びＨ２により第１及び第２の重畳画像が重畳して投射され、投射画像が表示される。これにより３台のプロジェクタにより画像を重畳して表示することが可能となり、輝度ダイナミックレンジを十分に拡張することが可能となる。
【０１２６】
図１１は、ｎ台のハイライトプロジェクタが用いられる場合の輝度分割の一例を説明するためのグラフである。図１１に示すように、輝度分割の基準として、第１の基準輝度Ｐ1、第２の基準輝度Ｐ2、・・・及び第ｎ−１の基準輝度Ｐn-1が、Ｐ1＜Ｐ2＜・・・＜Ｐn-1となるように設定される。例えば、ｋ番目の重畳画像である第ｋの重畳画像は、第ｋの基準輝度Ｐkと第ｋ＋１の基準輝度Ｐk+1を基準として、輝度分割を行うことにより生成される。
【０１２７】
例えば図１０に示す第１及び第２の基準輝度Ｐ1及びＰ2を、第ｋ及び第ｋ＋１の基準輝度Ｐk及びＰk+1として、同様の輝度分割が実行される。すなわち第ｋ及び第ｋ＋１の基準輝度Ｐk及びＰk+1にそれぞれ対応するリニアデータを、Ｍk及びＭk+1とする。各画素について、リニアデータがＭkよりも小さい場合には、各画素の表示輝度は０となる。リニアデータがｏk（Ｍk≦ｏk＜Ｍk+1）である場合には、リニアデータｏkに対応する表示輝度ｐkから第ｋの基準輝度Ｐkを差し引いた値であるｐk−Ｐkが、各画素の表示輝度となる。リニアデータがＭk+1以上である場合には、第ｋ＋１の基準輝度Ｐk+1から第ｋの基準輝度Ｐkを差し引いた値であるＰk+1−Ｐkが、各画素の表示輝度となる。各画素について、輝度分割により算出された表示輝度を実現するための第ｋの重畳画素情報が生成され、第ｋの重畳画像が生成される。
【０１２８】
このように、任意の台数のハイライトプロジェクタに対して、それぞれ対応する重畳画像を生成することが可能である。従って、ベース画像に対して任意の枚数の重畳画像を重畳させることが可能である。これにより輝度ダイナミックレンジを十分に拡張することが可能となり、高い輝度ピークを持った画像表示を実現することが可能となる。
【０１２９】
＜その他の実施形態＞
本技術は、以上説明した実施形態に限定されず、他の種々の実施形態を実現することができる。
【０１３０】
図１２は、各プロジェクタが担当する輝度範囲の一例を示すグラフである。上記の実施形態では、図５Ａに示すように、ベースプロジェクタが表示する輝度範囲（０からＰ）とハイライトプロジェクタが表示する輝度範囲（ＰからＰmax）とが略同じ輝度幅であった。これに限定されず、ハイライトプロジェクタが担当する輝度範囲は適宜設定されてよい。
【０１３１】
例えば部分スタックを実行する場合には、ハイライトプロジェクタで表示可能な輝度を高く設定することが可能である。従って図１２に示すように、ハイライトプロジェクタが担当する輝度範囲を大きくすることが可能である。これにより、ハイライトプロジェクタの数を少なくすることが可能となる。なおハイライトプロジェクタが担当する輝度範囲に合わせて、ＨＤＲ処理により算出される表示輝度が適宜調節されてもよい。この場合も、プロジェクタの数を抑えることが可能である。
【０１３２】
第１の実施形態では、基準輝度として、ベースプロジェクタにより表示可能な最大の表示輝度（ベースプロジェクタの最大輝度）が設定された。基準輝度の設定の仕方は、これに限定されない。
【０１３３】
例えばハイライトプロジェクタにより表示可能な輝度範囲が十分に大きい場合等において、基準輝度としてベースプロジェクタの最大輝度よりも低い値が設定されてもよい。これにより基準輝度が余裕を持って設定されるため、ベースプロジェクタでの発熱等が抑制され装置の安定性を確保することが可能となる。また、投射画像のピーク輝度に基づいて、当該ピーク輝度を効率的に表示可能なように基準輝度が適宜設定されてもよい。これにより、ベースプロジェクタ及びハイライトプロジェクタに対する負荷を軽減し、効率的に画像表示を行うことが可能である。
【０１３４】
第１の実施形態では、高ダイナミックレンジの階調で生成された投射画像の画像情報が入力部に入力された。これに限定されず、入力される画像情報の種類や形式は限定されない。例えばＨＤＲ領域は高ダイナミックレンジの階調で生成され、ＳＤＲ領域は標準ダイナミックレンジの階調で生成された投射画像の画像情報が入力されてもよい。すなわち２つの異なる階調の画像を含む投射画像の画像情報が入力されてもよい。この場合、ＳＤＲ処理部により標準ダイナミックレンジの画像を復元するＳＤＲ処理を実行され、ＨＤＲ処理部により高ダイナミックレンジの画像を復元するＨＤＲ処理が実行される。これにより処理時間の短縮や処理速度を向上させることが可能となる。
【０１３５】
またはＨＤＲ領域及びＳＤＲ領域がともに標準ダイナミックレンジの階調で生成された投射画像の画像情報が入力されてもよい。この場合、ＳＤＲ処理部は標準ダイナミックレンジの画像を復元するＳＤＲ処理を実行する。ＨＤＲ処理部は、例えば標準ダイナミックレンジの階調を、高ダイナミックレンジの階調に拡張／変換する処理等を実行する。これにより標準ダイナミックレンジの階調で記録されたビデオアーカイブ等を、高ダイナミックレンジの階調で表示することが可能となる。
【０１３６】
例えば、入力される画像情報としてハイブリッドログガンマ（ＨＬＧ：Hybrid Log Gamma）形式のビデオ信号が用いられてもよい。ＨＬＧ形式のビデオ信号は、暗い部分の輝度データが従来のガンマカーブで圧縮され、明るい部分の輝度データがログカーブで圧縮される方式であり、従来の表示装置との互換性が高い。この場合、ＨＤＲ処理部はＨＬＧ形式で用いられる所定の圧縮カーブの逆カーブを使って、ＨＬＧ形式のビデオ信号から本来の表示輝度を算出することが可能である。またＳＤＲ処理部は、従来のガンマカーブを使って、ＨＬＧ形式のビデオ信号から標準ダイナミックレンジの表示輝度を算出することが可能である。これにより一般のプロジェクタ等を用いて、容易に画像投射システムを構築することが可能となる。またビデオ信号の形式の差異等に伴うトラブルを回避し、システムの信頼性を向上することが可能である。なおビデオ信号の形式は限定されず、他の形式が用いられてもよい。
【０１３７】
このように、ＨＤＲ処理部及びＳＤＲ処理部は、入力された画像情報の種類や形式に応じたＨＤＲ処理及びＳＤＲ処理を適宜実行する。もちろんこれに限定されず、色彩の強調等の他の処理を行う場合にも本技術は適用可能である。
【０１３８】
上記では、ベースプロジェクタ及びハイライトプロジェクタに接続された情報処理装置により、ベース画像及び重畳画像の生成等を含む、本技術に係る情報処理方法が実行された。これに限定されず、ベースプロジェクタ又はハイライトプロジェクタにより、本技術に係る情報処理方法が実行されてもよい。すなわち情報処理装置の機能が、いずれかのプロジェクタに搭載されてもよい。この場合、当該プロジェクタは、本技術に係る情報処理装置として動作することになる。
【０１３９】
また画像情報が入力されるコンピュータにより、本技術に係る情報処理方法が実行される場合に限定されず、画像情報が入力されるコンピュータと、ネットワーク等を介して通信可能な他のコンピュータとが連動して、本技術に係る画像投射システムが構築されてもよい。
【０１４０】
すなわち本技術に係る情報処理方法、及びプログラムは、単体のコンピュータにより構成されたコンピュータシステムのみならず、複数のコンピュータが連動して動作するコンピュータシステムにおいても実行可能である。なお本開示において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれもシステムである。
【０１４１】
コンピュータシステムによる本技術に係る情報処理方法、及びプログラムの実行は、例えばＨＤＲ処理、ＳＤＲ処理、及び拡大処理等が、単体のコンピュータにより実行される場合、及び各処理が異なるコンピュータにより実行される場合の両方を含む。また所定のコンピュータによる各処理の実行は、当該処理の一部または全部を他のコンピュータに実行させその結果を取得することを含む。
【０１４２】
すなわち本技術に係る情報処理方法及びプログラムは、１つの機能をネットワークを介して複数の装置で分担、共同して処理するクラウドコンピューティングの構成にも適用することが可能である。
【０１４３】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１４４】
なお、本技術は以下のような構成も採ることができる。
（１）投射対象となる画像の画像情報が入力される入力部と、
前記投射対象となる画像の所定の位置に重畳領域を設定する設定部と、
前記入力された画像情報に基づいて、前記設定された重畳領域の画像を含むベース画像と、前記ベース画像の前記重畳領域の画像に重畳される重畳画像とを生成する生成部と
を具備する情報処理装置。
（２）（１）に記載の情報処理装置であって、
前記生成部は、前記入力された前記重畳領域に対応する画像情報に強調表示処理を実行し、その他の領域に対応する画像情報に標準表示処理を実行することで、前記ベース画像と前記重畳画像とをそれぞれ生成する
情報処理装置。
（３）（２）に記載の情報処理装置であって、
前記強調表示処理は、前記重畳領域に含まれる各画素の表示輝度を算出する処理であり、
前記生成部は、前記算出された各画素の表示輝度に基づいて、前記重畳領域の画像と前記重畳画像とをそれぞれ生成する
情報処理装置。
（４）（３）に記載の情報処理装置であって、
前記重畳領域の画像及び前記重畳画像は、各画素の画素情報をそれぞれ含み、
前記生成部は、前記算出された各画素の表示輝度と、所定の基準輝度とを比較することで、前記重畳領域の画像の前記各画素の画素情報であるベース画素情報と、前記重畳画像の前記各画素の画素情報である重畳画素情報とをそれぞれ生成する
情報処理装置。
（５）（４）に記載の情報処理装置であって、
前記生成部は、前記重畳領域に含まれる各画素について、前記算出された表示輝度が前記所定の基準輝度よりも小さい場合は、前記ベース画素情報として前記算出された表示輝度に対応する画素情報を生成し、前記重畳画素情報として表示輝度がゼロとなる画素情報を生成する
情報処理装置。
（６）（４）または（５）に記載の情報処理装置であって、
前記生成部は、前記重畳領域に含まれる各画素について、前記算出された表示輝度が前記所定の基準輝度よりも大きい場合は、前記ベース画素情報として前記所定の基準輝度に対応する画素情報を生成し、前記重畳画素情報として前記算出された表示輝度と前記所定の基準輝度との差に対応する画素情報を生成する
情報処理装置。
（７）（４）から（６）のうちいずれか１つに記載の情報処理装置であって、
前記生成部は、第１の基準輝度及びこれよりも大きい第２の基準輝度に基づいて、前記重畳領域の画像に重畳される第１の重畳画像及び第２の重畳画像をそれぞれ生成する
情報処理装置。
（８）（７）に記載の情報処理装置であって、
前記第１及び前記第２の重畳画像は、各画素の画素情報である第１の重畳画素情報及び第２の重畳画素情報をそれぞれ含み、
前記生成部は、前記重畳領域に含まれる各画素について、前記算出された表示輝度が前記第１の基準輝度よりも小さい場合は、前記ベース画素情報として前記算出された表示輝度に対応する画素情報を生成し、前記第１及び前記第２の重畳画素情報として表示輝度がゼロとなる画素情報を生成する
情報処理装置。
（９）（７）または（８）に記載の情報処理装置であって、
前記生成部は、前記重畳領域に含まれる各画素について、前記算出された表示輝度が前記第１の基準輝度よりも大きく前記第２の基準輝度よりも小さい場合は、前記ベース画素情報として前記第１の基準輝度に対応する画素情報を生成し、前記第１の重畳画素情報として前記算出された表示輝度と前記第１の基準輝度との差に対応する画素情報を生成し、前記第２の重畳画素情報として表示輝度がゼロとなる画素情報を生成する
情報処理装置。
（１０）（７）から（９）のうちいずれか１つに記載の情報処理装置であって、
前記生成部は、前記重畳領域に含まれる各画素について、前記算出された表示輝度が前記第２の基準輝度よりも大きい場合は、前記ベース画素情報として前記第１の基準輝度に対応する画素情報を生成し、前記第１の重畳画素情報として前記第２の基準輝度と前記第１の基準輝度との差に対応する画素情報を生成し、前記第２の重畳画素情報として前記算出された表示輝度と前記第２の基準輝度との差に対応する画素情報を生成する
情報処理装置。
（１１）（４）から（１０）のうちいずれか１つに記載の情報処理装置であって、
前記所定の基準輝度は、前記投射対象となる画像のピーク輝度、前記ベース画像を投射する画像投射装置が表示可能な輝度、及び前記重畳画像を投射する画像投射装置が表示可能な輝度のうち少なくとも１つに基づいて設定される
情報処理装置。
（１２）（３）から（１１）のうちいずれか１つに記載の情報処理装置であって、
前記強調表示処理は、前記重畳領域に含まれる各画素について、高ダイナミックレンジの表示輝度を算出する処理である
情報処理装置。
（１３）（２）から（１２）のうちいずれか１つに記載の情報処理装置であって、
前記標準表示処理は、前記その他の領域に含まれる各画素の表示輝度を算出する処理であり、
前記生成部は、前記算出されたその他の領域に含まれる各画素の表示輝度に基づいて、前記ベース画像を生成する
情報処理装置。
（１４）（１３）に記載の情報処理装置であって、
前記標準表示処理は、前記その他の領域に含まれる各画素について、標準ダイナミックレンジの表示輝度を算出する処理である
情報処理装置。
（１５）（１）から（１４）のうちいずれか１つに記載の情報処理装置であって、
前記生成部は、前記重畳画像を投射する画像投射装置の解像度に合わせて、前記重畳画像を拡大する拡大処理を実行する
情報処理装置。
（１６）（１）から（１５）のうちいずれか１つに記載の情報処理装置であって、
前記入力部には、高ダイナミックレンジの画像の画像情報が入力される
情報処理装置。
（１７）（１）から（１６）のうちいずれか１つに記載の情報処理装置であって、
前記入力部には、複数の表示領域を含む画像の画像情報が入力され、
前記設定部は、前記複数の表示領域のうち少なくとも１つを前記重畳領域として設定する
情報処理装置。
【符号の説明】
【０１４５】
Ｐ…基準輝度
Ｐ1…第１の基準輝度
Ｐ2…第２の基準輝度
１１…投射画像
１２…ベース画像
１３…重畳画像
１４…ＨＤＲ領域
１５…ＳＤＲ領域
１８…ＨＤＲ領域の画像
１９…ＳＤＲ領域の画像
２０…ベースプロジェクタ
３０…ハイライトプロジェクタ
４０、８０…情報処理装置
４１…入力部
４２…領域設定部
４３…画像生成部
４４…ＨＤＲ処理部
４５…ＳＤＲ処理部
４６…分割処理部
４７…拡大処理部
１００…画像投射システム
【図１】
2018025474.tif 000003
【図２】
2018025474.tif 000004
【図３】
2018025474.tif 000005
【図４】
2018025474.tif 000006
【図５】
2018025474.tif 000007
【図６】
2018025474.tif 000008
【図７】
2018025474.tif 000009
【図８】
2018025474.tif 000010
【図９】
2018025474.tif 000011
【図１０】
2018025474.tif 000012
【図１１】
2018025474.tif 000013
【図１２】
2018025474.tif 000014
【国際調査報告】
2018025474.tif 000015
2018025474.tif 000016
2018025474.tif 000017
2018025474.tif 000018